(57)【要約】【課題】照明器具に周囲の環境に応じて制御する機能を後付けで容易に追加することができる照明器具用センサユニットを提供する。【解決手段】周囲の環境を検知する環境検知部２１と、照明器具１を制御するための制御指令を環境検知部２１の出力に応じて生成する制御指令生成部２２と、制御指令生成部２２が生成した制御指令をリモコン信号に変換して照明器具１のリモコン信号受信部１５に送信する送信部２３と、ランプ用ソケット１２から供給された電源により環境検知部２１と制御指令生成部２２と送信部２３との動作電源を作成する変換部２４ａとを備える。信号線や電源線の新たな配線が不要であるから、照明器具１に取り付けることにより周囲の環境に応じて制御する機能を後付けで容易に追加することができる。【選択図】        図１
2004327132.tif 000002
【特許請求の範囲】
【請求項１】
第１のランプと、第２のランプを着脱自在に取り付け可能なランプ用ソケットと、第１のランプを点灯させるための第１の点灯手段と、ランプ用ソケットに電源を供給するための第２の点灯手段と、リモコン信号を受信するためのリモコン信号受信手段と、リモコン信号受信手段が受信したリモコン信号に応じて第１の点灯手段と第２の点灯手段とを制御するランプ制御手段とを備えた照明器具に用いられる照明器具用センサユニットであって、周囲の環境を検知する環境検知手段と、照明器具のランプ制御手段に制御を行わせるための制御指令を環境検知手段の出力に応じて生成する制御指令生成手段と、制御指令生成手段が生成した制御指令をリモコン信号に変換して照明器具のリモコン信号受信手段に送信する送信手段と、ランプ用ソケットから供給された電源により環境検知手段と制御指令生成手段と送信手段との動作電源を作成する電源手段とを備えることを特徴とする照明器具用センサユニット。
【請求項２】
環境検知手段として、検知範囲での人体の存在を検知する人感センサを備えることを特徴とする請求項１記載の照明器具用センサユニット。
【請求項３】
電源手段は、２次電池と、ランプ用ソケットから電源が供給されているときに２次電池を充電する充電手段とを備え、ランプ用ソケットから電源が供給されていないときに２次電池を電源として動作電源を作成することを特徴とする請求項１記載の照明器具用センサユニット。
【請求項４】
電源手段は、第１のランプの光を受けて起電力を生じる光起電力発生手段を備え、光起電力発生手段の起電力からも動作電源を作成することを特徴とする請求項１記載の照明器具用センサユニット。
【請求項５】
照明器具にリモコン信号を送信するリモコン送信機から送信されるリモコン信号を受信する受信手段を備え、制御指令生成手段は、第１のランプを消灯させ且つランプ用ソケットへの電源の供給を停止させるリモコン信号が受信手段に受信されたときに、ランプ用ソケットへ電源を供給させる制御指令を生成することを特徴とする請求項１記載の照明器具用センサユニット。
【発明の詳細な説明】
【０００１】
【発明の属する技術分野】
本発明は、リモコン信号を用いた操作が可能な照明器具に取り付けられ周囲の環境に応じたリモコン信号によって照明器具を制御する照明器具用センサユニットに関するものである。
【０００２】
【従来の技術】
従来から、図６に示すように、白熱電球や蛍光灯などのランプＬ１を備え赤外光などのリモコン信号によってランプＬ１の点灯・消灯や調光などの制御が可能な照明器具本体Ｌ（例えば、特許文献１参照）と、ランプＬ１を制御するための制御指令をリモコン信号として照明器具本体Ｌに送信するリモコン送信機Ｓとを有する照明器具が提供されている（例えば、特許文献２参照）。
【０００３】
照明器具本体Ｌは、リモコン信号を受信するリモコン信号受信部Ｌ２と、周囲の環境を検知する環境検知部Ｌ４と、リモコン信号受信部Ｌ２に受信されたリモコン信号と環境検知部Ｌ４の出力とに応じてランプを消灯・全点灯・調光点灯のいずれかの点灯状態に制御するランプ制御部Ｌ３とを備える。例えば図８に示すように、照明器具本体Ｌが天井Ｃに取り付けられるものである場合、環境検知部Ｌ４は照明器具本体Ｌの下側に取り付けられる。
【０００４】
リモコン送信機Ｓは、照明器具本体Ｌの点灯状態を変更するために手操作され加えられた操作に応じた出力を生成する操作部Ｓ４と、操作部Ｓ４の出力に応じた制御指令を生成する制御指令生成部Ｓ２と、生成された制御指令をリモコン信号として照明器具１に送信する送信部Ｓ３とを備える。また、リモコン送信機Ｓは、周囲の環境を検知する環境検知部Ｓ１を備え、制御指令生成部Ｓ２は環境検知部Ｓ１の出力に応じた制御指令も生成する。
【０００５】
環境検知部Ｓ１，Ｌ４は例えば図７に示す検知範囲Ｍ１，Ｍ２での人体の存在を検知する人感センサである。ランプ制御部Ｌ３及び制御指令生成部Ｓ２は、例えば検知範囲Ｍ１，Ｍ２に人体が存在するときにランプＬ１を全点灯し検知範囲Ｍ１，Ｍ２に人体が存在しないときにランプＬ１を消灯又は調光点灯するように制御する。
【０００６】
【特許文献１】
特開平１１−１３５２７１号公報（第３−５頁、第１図）
【特許文献２】
特開平１０−１２６８６１号公報（第３−５頁、第１図）
【０００７】
【発明が解決しようとする課題】
環境検知部Ｌ４を備えていない一般の照明器具に、周囲の環境に応じて制御する機能を後付けで追加することを考える。環境検知部Ｌ４を単に照明器具に取り付ける場合、環境検知部Ｌ４とランプ制御部Ｌ３とを接続するための信号線や、環境検知部Ｌ４に電源を供給するための電源線の配線が必要であった。また、リモコン信号を送信するリモコン送信機を用いた操作が可能な照明器具に対して、リモコン送信機と同様のリモコン信号を周囲の環境に応じて送信するセンサユニットを用いる場合には、照明器具からセンサユニットに電源を供給することが難しいために、照明器具とは別途に商用電源や電池などによってセンサユニットに電源を供給する必要があった。以上の理由により、周囲の環境に応じて制御する機能を一般の照明器具に後付けで追加することは難しかった。
【０００８】
本発明は上記事由に鑑みてなされたものであり、その目的は、照明器具に周囲の環境に応じて制御する機能を後付けで容易に追加することができる照明器具用センサユニットを提供することにある。
【０００９】
【課題を解決するための手段】
請求項１の発明は、第１のランプと、第２のランプを着脱自在に取り付け可能なランプ用ソケットと、第１のランプを点灯させるための第１の点灯手段と、ランプ用ソケットに電源を供給するための第２の点灯手段と、リモコン信号を受信するためのリモコン信号受信手段と、リモコン信号受信手段が受信したリモコン信号に応じて第１の点灯手段と第２の点灯手段とを制御するランプ制御手段とを備えた照明器具に用いられる照明器具用センサユニットであって、周囲の環境を検知する環境検知手段と、照明器具のランプ制御手段に制御を行わせるための制御指令を環境検知手段の出力に応じて生成する制御指令生成手段と、制御指令生成手段が生成した制御指令をリモコン信号に変換して照明器具のリモコン信号受信手段に送信する送信手段と、ランプ用ソケットから供給された電源により環境検知手段と制御指令生成手段と送信手段との動作電源を作成する電源手段とを備えることを特徴とする。
【００１０】
請求項２の発明は、請求項１の発明において、環境検知手段として、検知範囲での人体の存在を検知する人感センサを備えることを特徴とする。
【００１１】
請求項３の発明は、請求項１の発明において、電源手段は、２次電池と、ランプ用ソケットから電源が供給されているときに２次電池を充電する充電手段とを備え、ランプ用ソケットから電源が供給されていないときに２次電池を電源として動作電源を作成することを特徴とする。
【００１２】
請求項４の発明は、請求項１の発明において、電源手段は、第１のランプの光を受けて起電力を生じる光起電力発生手段を備え、光起電力発生手段の起電力からも動作電源を作成することを特徴とする。
【００１３】
請求項５の発明は、請求項１の発明において、照明器具にリモコン信号を送信するリモコン送信機から送信されるリモコン信号を受信する受信手段を備え、制御指令生成手段は、第１のランプを消灯させ且つランプ用ソケットへの電源の供給を停止させるリモコン信号が受信手段に受信されたときに、ランプ用ソケットへ電源を供給させる制御指令を生成することを特徴とする。
【００１４】
【発明の実施の形態】
以下、本発明の実施の形態を図面に基づいて説明する。
【００１５】
（実施形態１）
本実施形態は、図１に示すように、第１のランプ１１と、第２のランプが着脱自在に取り付けられるランプ用ソケット１２とを備えた照明器具１に用いられる照明器具用センサユニット２であって、電源をランプ用ソケット１２から得るとともにリモコン信号を用いて制御指令を照明器具１に送信することを特徴とする。
【００１６】
照明器具１は、第１のランプ１１を点灯するための第１の点灯回路部１３と、第２のランプを点灯させる電源をランプ用ソケット１２に供給するための第２の点灯回路部１４と、図示しないリモコン送信機から送信されるリモコン信号を受信するためのリモコン信号受信部１５と、リモコン信号受信部１５で受信したリモコン信号に応じて第１の点灯回路部１３と第２の点灯回路部１４とをそれぞれ消灯・全点灯あるいは調光点灯のいずれかの状態に制御するランプ制御部１６とを備える。リモコン信号は例えば赤外光や電波などを媒体とするワイヤレス信号である。
【００１７】
例えば、照明器具１は図２に示すように天井に取り付けられる室内灯であって、第１のランプ１１はソケットＳＯに取り付けられる環状の蛍光灯であり、第２のランプは豆球である。また、リモコン信号が赤外光を媒体とする場合、リモコン信号受信部１５は受光面が下側を向けられた受光素子（例えばフォトダイオード）によってリモコン信号を受信する。照明器具１の電源は電線接続部Ｐに接続された電線を通じて供給される。
【００１８】
一方、照明器具用センサユニット２は、周囲の環境を検知する環境検知部２１と、照明器具１の動作を設定するために手操作されるとともに加えられた操作に応じた出力を生成する操作部２５と、照明器具１のランプ制御部１６に制御を行わせるための制御指令を環境検知部２１の出力と操作部２５の出力とに応じて生成する制御指令生成部２２と、制御指令生成部２２が生成した制御指令をリモコン送信機と共通のリモコン信号に変換して照明器具１のリモコン信号受信部１５に送信する送信部２３と、ランプ用ソケット１２から供給された電源を電力変換することにより環境検知部２１と制御指令生成部２２と送信部２３と操作部２５との動作電源を作成する電源手段としての変換部２４ａとを備える。制御指令生成部２２は、例えば専用のプログラムが実装されたマイコンによって実現される。送信部２３は、リモコン信号が赤外光を媒体とする場合には例えば赤外光を放出する発光ダイオードによってリモコン信号を送信する。
【００１９】
環境検知部２１は、例えば人体から放射される熱線を検知する焦電センサ等を用いて検知範囲での人体の存在を検知する人感センサや、フォトダイオード等の光電変換素子を用いて周囲の照度を検知する明るさセンサである。環境検知部２１として明るさセンサを用いた場合は、制御指令生成部２２は例えば周囲の照度が所定のしきい値よりも低くなったときに第１のランプ１１を点灯又は調光点灯させ、周囲の照度が所定のしきい値よりも高くなったときに第１のランプ１１を消灯させるように制御指令を生成する。環境検知部２１として人感センサを用いれば、例えば検知範囲に人体が検知されたときに第１のランプ１１を点灯させ、検知範囲に人体が検知されなくなった後に第１のランプ１１を消灯させるというように、人の挙動に合わせた制御を行わせることができる。
【００２０】
ランプ用ソケット１２に電源が供給されていない状態では、本実施形態の照明器具用センサユニット２は動作しないが、例えばリモコン送信機によって第２のランプを点灯させる操作をしてランプ用ソケット１２に電源を供給することで照明器具用センサユニット２が起動する。
【００２１】
上記構成によれば、制御指令を信号線によらずリモコン信号によって送信するので、信号線の新たな配線が不要である。また、電源はランプ用ソケット１２を通じて供給されるので、照明器具１と別途に電源を供給する必要がないから、電源線の新たな配線が不要である。従って、ランプ用ソケット１２とリモコン信号受信部１５とを備える一般的な照明器具１に、照明器具用センサユニット２を取り付けることにより、周囲の環境に応じて制御する機能を後付けで容易に追加することができる。
【００２２】
なお、変換部２４ａとランプ用ソケット１２との接続は、ランプ用ソケット１２に着脱自在に装着可能な口金を用いて行うことが望ましい。すなわち、照明器具用センサユニット２のハウジング（図示せず）に口金を設けてランプ用ソケット１２に装着する構造とすれば、電気的接続と機械的接続とが同時に達成できるから、照明器具用センサユニット２を照明器具１に固定するための固定手段を別途に設ける必要がない。また、電気的接続を機械的接続と別途に行う場合に比べて取り付けが容易になる。
【００２３】
さらに、変換部２４ａと並列に接続され第２のランプを取り付け可能な図示しないソケットを設け、ランプ用ソケット１２に第２のランプが取り付けられた場合と同様に第２のランプを点灯可能としてもよい。
【００２４】
（実施形態２）
ところで、一般的な照明器具１では、第２のランプはいわゆる常夜灯であって、第１のランプ１１と同時には点灯することのないものであるから、第１のランプ１１を点灯する際はランプ用ソケット１２への電源の供給は停止されるようになっていることが多い。このような照明器具１に取り付けられた場合、実施形態１の照明器具用センサユニット２は、第１のランプ１１の点灯後は電源を得ることができずに停止してしまう。本実施形態はこの点を改良し、ランプ用ソケット１２に電源が供給されていない期間にも動作可能としたものである。
【００２５】
本実施形態は、実施形態１の構成に加えて、図３に示すように、変換部２４ａと並列に接続された２次電池ＢＴと、ランプ用ソケット１２から電源が供給されているときに２次電池ＢＴを充電する充電部２４ｂとを電源手段の一部として備える。充電部２４ｂはランプ用ソケット１２から電源を供給されて２次電池ＢＴを充電するものであって、周知技術によって実現可能であるので説明を省略する。また、２次電池ＢＴには、環境検知部２１と制御指令生成部２２と送信部２３とから電流が逆流することを防ぐためのダイオードＤ１が直列に接続されている。
【００２６】
ランプ用ソケット１２から電源が供給されている期間は、変換部２４ａが動作電源を供給するとともに、充電部２４ｂが２次電池ＢＴを充電する。第１のランプ１１が点灯されることなどによってランプ用ソケット１２からの電源の供給が停止すると、変換部２４ａに代わって２次電池ＢＴが放電して動作電源を供給する。その他の構成は、実施形態１と同様である。
【００２７】
上記構成によれば、ランプ用ソケットからの電源の供給が停止した後も、２次電池ＢＴの電圧が動作電源として必要な電圧よりも低くなるまでの期間は動作することができる。
【００２８】
（実施形態３）
本実施形態は、図４に示すように、第１のランプ１１の光を受けて起電力を生じる光起電力発生部２４ｃを電源手段の一部として備え、充電部２４ｂは光起電力発生部２４ｃの起電力を電源として２次電池ＢＴを充電する点が実施形態２と異なる。その他の構成は実施形態２と同様であるので、同じ符号を付して説明を省略する。光起電力発生部２４ｃは、例えば太陽電池である。
【００２９】
ランプ用ソケット１２から電源が供給されている期間は、変換部２４ａが動作電源を供給する。第１のランプ１１が点灯されると、充電部２４ｂは光起電力発生部２４ｃから電源を供給されて２次電池ＢＴを充電する。そして、２次電池ＢＴの電圧が動作電圧として必要な電圧よりも高くなると、２次電池ＢＴが放電して動作電源を供給する。その他の構成は、実施形態１と同様である。
【００３０】
上記構成によれば、ランプ用ソケット１２への電源の供給が停止されても、２次電池ＢＴの電圧が動作電源として必要な電圧よりも高い期間は動作することができる。
【００３１】
なお、本実施形態において、光起電力発生部２４ｃのみによって十分な起電力が得られる場合は、例えば光起電力発生部２４ｃの起電力をそのまま動作電源とすればよく、充電部２４ｂと２次電池ＢＴとを設ける必要はない。
【００３２】
（実施形態４）
これまでに述べた実施形態では、リモコン送信機３によって第１のランプ１１と第２のランプとを消灯させるリモコン信号が送信された場合に、ランプ用ソケット１２への電源の供給が停止されてしまう。本実施形態はこの点を改良し、リモコン送信機３によって第１のランプ１１と第２のランプとを消灯させるリモコン信号が送信された場合にも、ランプ用ソケット１２への電源の供給が継続するようにしたものである。
【００３３】
本実施形態は、図５に示すように、照明器具１にリモコン信号を送信するリモコン送信機３から送信されるリモコン信号を受信する受信部２６を備える。制御指令生成部２２は、第１のランプ１１を消灯させ且つランプ用ソケット１２への電源の供給を停止させるリモコン信号が受信部２６に受信されたときに、ランプ用ソケット１２へ電源を供給させる制御指令を生成する。受信部２６は例えばリモコン信号が赤外光を媒体とする場合には受光素子（例えばフォトダイオード）によってリモコン信号を受信する。その他の構成は実施形態２と同様であるので、同じ符号を付して説明を省略する。
【００３４】
上記構成によれば、第１のランプ１１と第２のランプとを消灯させるリモコン信号がリモコン送信機３から送信されたときにも、ランプ用ソケット１２への電源の供給が停止されることを防ぐことができる。
【００３５】
ここで、環境検知部２１として人感センサを用いた場合、使用者がリモコン送信機３によって第１のランプ１１を消灯させる操作を行っても、本実施形態の照明用センサユニット２は動作し続けるから、操作を行った使用者が環境検知部２１に検知され、制御指令生成部２２が第１のランプ１１を点灯させる制御指令を生成してしまうことが考えられる。この不具合を回避するためには、例えば受信部２６がリモコン信号を受信した後、使用者が検知範囲から離れるまでに必要な所定の期間は制御指令生成部２２が制御指令を生成しないようにすればよい。
【００３６】
【発明の効果】
請求項１の発明は、第１のランプと、第２のランプを着脱自在に取り付け可能なランプ用ソケットと、第１のランプを点灯させるための第１の点灯手段と、ランプ用ソケットに電源を供給するための第２の点灯手段と、リモコン信号を受信するためのリモコン信号受信手段と、リモコン信号受信手段が受信したリモコン信号に応じて第１の点灯手段と第２の点灯手段とを制御するランプ制御手段とを備えた照明器具に用いられる照明器具用センサユニットであって、周囲の環境を検知する環境検知手段と、照明器具のランプ制御手段に制御を行わせるための制御指令を環境検知手段の出力に応じて生成する制御指令生成手段と、制御指令生成手段が生成した制御指令をリモコン信号に変換して照明器具のリモコン信号受信手段に送信する送信手段と、ランプ用ソケットから供給された電源により環境検知手段と制御指令生成手段と送信手段との動作電源を作成する電源手段とを備えるので、制御指令が信号線によらずリモコン信号によって送信されることにより信号線の配設が不要であり、且つ電源がランプ用ソケットから供給されることにより照明器具と別途に電源を供給する必要がなく電源線の配設も不要であるから、照明器具に周囲の環境に応じて制御する機能を後付けで容易に追加することができる。
【００３７】
請求項２の発明は、請求項１の発明において、環境検知手段として、検知範囲での人体の存在を検知する人感センサを備えるので、検知範囲の人体の存否に基づいた制御が可能となる。
【００３８】
請求項３の発明は、請求項１の発明において、電源手段は、２次電池と、ランプ用ソケットから電源が供給されているときに２次電池を充電する充電手段とを備え、ランプ用ソケットから電源が供給されていないときに２次電池を電源として動作電源を作成するので、ランプ用ソケットからの電源の供給が停止しているときにも動作することができる。
【００３９】
請求項４の発明は、請求項１の発明において、電源手段は、第１のランプの光を受けて起電力を生じる光起電力発生手段を備え、光起電力発生手段の起電力からも動作電源を作成するので、ランプ用ソケットへの電源の供給が停止されることの多い第１のランプ点灯時にも動作することができる。
【００４０】
請求項５の発明は、請求項１の発明において、照明器具にリモコン信号を送信するリモコン送信機から送信されるリモコン信号を受信する受信手段を備え、制御指令生成手段は、第１のランプを消灯させ且つランプ用ソケットへの電源の供給を停止させるリモコン信号が受信手段に受信されたときに、ランプ用ソケットへ電源を供給させる制御指令を生成するので、リモコン送信機からのリモコン信号によってランプ用ソケットへの電源の供給が停止されることを防ぐことができる。
【図面の簡単な説明】
【図１】本発明の実施形態１を示すブロック図である。
【図２】照明器具の一例を示す概略構成図である。
【図３】本発明の実施形態２を示すブロック図である。
【図４】本発明の実施形態３を示すブロック図である。
【図５】本発明の実施形態４を示すブロック図である。
【図６】従来例を示すブロック図である。
【図７】同上を示す説明図である。
【図８】同上を示す断面図である。
【符号の説明】
１  照明器具
２  照明器具用センサユニット
１１  第１のランプ
１２  ランプ用ソケット
１３  第１の点灯回路部
１４  第２の点灯回路部
１５  リモコン信号受信部
１６  ランプ制御部
２１  環境検知部
２２  制御指令生成部
２３  送信部
２４ａ  変換部
２４ｂ  充電部
２４ｃ  光起電力発生部
２６  受信部
ＢＴ  ２次電池
【図１】
2004327132.tif 000003
【図２】
2004327132.tif 000004
【図３】
2004327132.tif 000005
【図４】
2004327132.tif 000006
【図５】
2004327132.tif 000007
【図６】
2004327132.tif 000008
【図７】
2004327132.tif 000009
【図８】
2004327132.tif 000010